(57)【特許請求の範囲】
【請求項１】
構造物の表面に添設される基板部と、パイプ固定用のパイプ抱持バンドを取り付ける帯板状の取付部とを備え、該取付部の長手方向の一端が前記基板部に固着されたパイプ抱持バンド取付具を有したパイプ支持具であって、
前記パイプ抱持バンド取付具の前記取付部に取り付けられる補強具をさらに備えており、
前記補強具は、前記取付部をその厚み方向より挟むようにして保持する保持部と、前記構造物に固定される固定部とを備えたことを特徴とするパイプ支持具。
【請求項２】
請求項１において、
前記補強具の前記保持部に、前記取付部に対して、その幅方向よりスライド装着できるスリットが形成されている、パイプ支持具。
【請求項３】
請求項１または２において、
前記補強具が前記基板部を覆うように形成された椀形状とされ、前記固定部が椀開口周縁に設けられ、前記スリットが椀底から椀開口にいたるまで形成されている、パイプ支持具。
【請求項４】
請求項１〜３のいずれか１項に記載されたパイプ支持具に用いられる補強具。
【発明の詳細な説明】
【技術分野】
【０００１】
本発明は、外壁などの構造物の表面に沿って配されるパイプを支持するパイプ支持具、およびそれに用いられる補強具に関する。
【背景技術】
【０００２】
図７に示すように、パイプ支持具１００は、パイプ（図７には不図示。図２における符号３５）を抱持するパイプ抱持バンド（図７には不図示。図２における符号３０）を取り付けるためのパイプ抱持バンド取付具１１０によって構成されている（たとえば、特許文献１参照）。
【０００３】
この種のパイプ抱持バンド取付具１１０は、図７に示すように、外壁３などの構造物の表面に添設される基板部１１１と、パイプ固定用のパイプ抱持バンドを取り付ける帯板状の取付部１１２と、外壁３に固定されるねじ体などで構成された固定部１１３とを備えた構成となっている。
【０００４】
取付部１１２および固定部１１３は基板部１１１に溶接などで固着され、それらが一体化されてパイプ抱持バンド取付具１１０を構成している。パイプ抱持バンド取付具１１０は一体となっているため、構造物への取り付けや運搬などの取り扱いはきわめてしやすい。通例では、１つのパイプを外壁３に取り付けるために複数のパイプ抱持バンド取付具１１０を取り付ける必要があるため、このように簡易に取り付けできるパイプ抱持バンド取付具１１０による効果は大きい。
【先行技術文献】
【特許文献】
【０００５】
【特許文献１】特開２００２−３１２６９号公報
【発明の概要】
【発明が解決しようとする課題】
【０００６】
しかしながら、固定部１１３を構造物に取り付けた（埋め込んだ）状態で取付部１１２を構造物の前方に突出させる取付構造となっているため、突風などにより取付部１１２へ大きな力が加わると、取付部１１２の根元部分が損傷するおそれがある。特に、図７の例のように取付部１１２が長いものでは、根元部分での折れや溶接部での外れなどの重篤な事態を招くおそれもある。また、１つのパイプ抱持バンド取付具１１０が損傷すると他のパイプ抱持バンド取付具１１０の負荷が大きくなり、それらについても損傷しやすくなり、連鎖的に折れや外れが発生し、その結果、パイプが外れてしまうおそれもある。
【０００７】
本発明は、このような事情を考慮して提案されたもので、その目的は、構造物に取り付けられたパイプ抱持バンド取付具の取付部の損傷を防止できるパイプ支持具および補強具を提供することにある。
【課題を解決するための手段】
【０００８】
上記目的を達成するために、請求項１に記載のパイプ支持具は、構造物の表面に添設される基板部と、パイプ固定用のパイプ抱持バンドを取り付ける帯板状の取付部とを備え、取付部の長手方向の一端が基板部に固着されたパイプ抱持バンド取付具を有したパイプ支持具であって、パイプ抱持バンド取付具の取付部に取り付けられる補強具をさらに備えており、補強具は、取付部をその厚み方向より挟むようにして保持する保持部と、構造物に固定される固定部とを備えたことを特徴とする。
【０００９】
請求項２に記載のパイプ支持具は、補強具の保持部に、取付部に対して、その幅方向よりスライド装着できるスリットが形成されている。
【００１０】
請求項３に記載のパイプ支持具は、補強具が基板部を覆うように形成された椀形状とされ、固定部が椀開口周縁に設けられ、スリットが椀底から椀開口にいたるまで形成されている。
【００１１】
請求項４に記載の補強具は、請求項１〜３のいずれか１項に記載されたパイプ支持具に用いられる。
【発明の効果】
【００１２】
請求項１に記載のパイプ支持具によれば、上述の構成となっているため、構造物に取り付けられたパイプ抱持バンド取付具の取付部の折れ、曲がりなどの損傷を防止することができる。
【００１３】
請求項２に記載のパイプ支持具によれば、上述の構成となっているため、パイプ抱持バンド取付具への補強具の取り付けが容易に行える。既設のパイプ抱持バンド取付具に対しても後付けできる。
【００１４】
請求項３に記載のパイプ支持具によれば、上述の構成となっているため、パイプ抱持バンド取付具の取付基部をしっかりと保護でき、かつ取り付けも容易に行える。
【００１５】
請求項４に記載の補強具によれば、請求項１〜３のいずれかに記載のパイプ支持具と同様の効果が奏せられる。
【図面の簡単な説明】
【００１６】
【図１】本発明の一実施形態に係るパイプ支持具の分解斜視図である。
【図２】パイプ支持具の使用状態を示す斜視図である。
【図３】（ａ）は図１に用いられる補強具の正面図、（ｂ）はパイプ支持具の取付状態を示す正面図である。
【図４】（ａ）（ｂ）は、パイプ抱持バンド取付具に対する補強具の取付手順を示す縦断面図である。
【図５】補強具の取付状態（取付手順の最終段階）を示す縦断面図である。
【図６】本発明の他の実施形態に係る補強具の３例に関する説明図であり、（ａ）は一例の正面図、（ｂ）は他の例の斜視図、（ｃ）はさらに他の例の斜視図である。
【図７】従来のパイプ支持具（パイプ抱持バンド取付具）の説明図である。（ａ）はパイプ抱持バンド取付具の分解斜視図、（ｂ）はパイプ抱持バンド取付具の斜視図、（ｃ）はパイプ抱持バンド取付具の取付状態を示す縦断面図である。
【発明を実施するための形態】
【００１７】
以下に、本発明の実施の形態ついて、図１〜図６をもとに説明する。まず、パイプ支持具１の基本構成について説明する。
【００１８】
パイプ支持具１は、構造物の表面に添設される基板部１１と、パイプ固定用のパイプ抱持バンド３０を取り付ける帯板状の取付部１２とを備え、取付部１２の長手方向の一端が基板部１１に固着されたパイプ抱持バンド取付具１０を有している。パイプ支持具１は、パイプ抱持バンド取付具１０の取付部１２に取り付けられる補強具２０をさらに備えており、補強具２０は取付部１２をその厚み方向より挟むようにして保持する保持部２２と、構造物に固定される固定部２３とを備えている。
【００１９】
ついで、図１に示したパイプ支持具１について詳述する。このパイプ支持具１は、上述したように、パイプ抱持バンド取付具１０と、補強具２０とを備えている。
【００２０】
パイプ抱持バンド取付具１０は、コンクリートの外壁３などの構造物の表面に添設される円形鍔状の基板部１１と、その前方に突出するように配された、パイプ抱持バンド３０（図２参照）を取り付ける取付部１２と、基板部１１の後方に突出するように配された、ねじ体よりなる固定部１３とを備えている。
【００２１】
パイプ抱持バンド取付具１０はステンレス等の金属よりなり、上述した従来のパイプ抱持バンド取付具１１０（図７参照）とほぼ同様な形状となっている。このパイプ抱持バンド取付具１０は、図７において説明したように、個別分離された各部材を溶接等で一体化して形成されている。
【００２２】
基板部１１は、上述したように、パイプ抱持バンド取付具１０を外壁３に取り付けた際に外壁３の表面に添設される部位であり、その中央には、前方の取付部１２と後方の固定部１３を連結し、前方に山形状に突出した突部１１ａが形成されている。つまり、基板部１１は後方より見れば鍋形状となっており、パイプ抱持バンド取付具１０が外壁３に取り付けられた際に、基板部１１の外周の環状部１１ｂが外壁３に接触するように形成されている。
【００２３】
取付部１２はパイプ抱持バンド３０を取り付ける部位であり、パイプ抱持バンド３０の取付片部３１、３１が取付部１２を挟持するようにして固定されるようになっている（図２参照）。この取付部１２には、一対の取付片部３１、３１をそれぞれ２箇所の挿通孔３１ａ、３１ａを通じて、ボルト３３、ナット３４で固定するための長孔１２ａが開設されている。
【００２４】
パイプ抱持バンド３０は、上記取付片部３１、３１を延出させた環状のバンド部３２を備えており、そのバンド部３２で竪樋などのパイプ３５を抱持できる構成となっている。
【００２５】
また、パイプ抱持バンド取付具１０の構成一部材である固定部１３は、基板部１１の突部１１ａの裏側に、裏側の内底面より後方に延びるように取り付け固着されている。
【００２６】
一方、補強具２０はステンレス等の金属よりなり、椀形状とされ、円錐台形状の椀部２１と、その開口周縁に形成された環状の固定部２３とを備えている。
【００２７】
椀部２１の椀底にはスリット２２ａが形成されており、この椀底が補強具２０をパイプ抱持バンド取付具１０に取り付けたときに取付部１２を保持する保持部２２を構成する。つまり、このスリット２２ａに取付部１２が嵌入されるようになっている。ようするに、保持部２２は取付部１２をその厚み方向より挟むようにして保持する構成となっている。
【００２８】
また、このスリット２２ａは、既設のパイプ抱持バンド取付具１０の取付部１２の幅方向（上方）より取り付けできるように、保持部２２の下端にスライド挿入口２２ｂが形成されているとともに、椀底から椀部２１の外壁を経由して椀開口２１ａ、固定部２３にいたるまで形成され、固定部２３の最下端にはスライド導入口２２ｃが形成されている。このスライド導入口２２ｃは、スリット２２ａの幅よりも拡がるように形成することが望ましい。
【００２９】
また、保持部２２を取付部１２に対して確実にスムーズに装着できるように、スリット２２ａは取付部１２の板厚よりもやや広めの幅寸法とされることが望ましい（図３（ａ）参照）。
【００３０】
また、補強具２０、特に保持部２２（椀底）は、パイプ抱持バンド取付具１０の取付部１２にスリット２２ａの接触面により局部的に負荷がかからないように、接触部の面積が大きくなるように形成されていることが望ましい。
【００３１】
また、固定部２３の３箇所には、外壁３にビス２５で固定するためのビス孔２３ａ、２３ａ、２３ａが開設されている。
【００３２】
このような補強具２０は、図４（ａ）（ｂ）および図５に示す手順で、外壁３に固定されたパイプ抱持バンド取付具１０に対して取り付けられる。すなわち、補強具２０はパイプ抱持バンド取付具１０の取付部１２に対しスライド挿入され（図４（ａ）参照）、ついで横方向に固定部２３の裏面が外壁３に接触するまでスライドされ（図４（ｂ）参照）、最後に固定部２３において外壁３にビス２５止めされるようにして取り付けられる（図５参照）。
【００３３】
こうして、補強具２０はパイプ抱持バンド取付具１０の取付基部を覆うように取り付け固定される。図２に示したように、その後、パイプ３５を抱持した状態のパイプ抱持バンド３０を取付部１２に取り付ければよい。
【００３４】
このように補強具２０は、保持部２２でパイプ抱持バンド取付具１０の取付部１２を保持した状態で外壁３に固定されるので、取付部１２の厚み方向へのぶれを抑えられ、その結果、取付部１２の基板部１１への固着基部および取付部１２と基板部１１との溶接部は補強されることとなる。そのため、取付部１２の基板部１１への固着基部が折れたり、取付部１２が基板部１１より外れたりすることを防止できる。
【００３５】
また、本実施形態における補強具２０は椀形状であるため、溶接部を含む基板部１１の全体を有効に保護することができる。
【００３６】
さらに、補強具２０にはスライド挿入口２２ｂ、スライド導入口２２ｃを有したスリット２２ａが形成されているので、パイプ抱持バンド取付具１０の上方より補強具２０をスライド取り付けすることができる。また、補強具２０は上方から取り付けできるようになっているので、パイプ３５が設置された状態であっても、パイプ抱持バンド取付具１０に対して取り付けることができる。つまり、この補強具２０は後付けも可能である。また、上方から取り付けできるので、固定部２３にビス２５止めする際に手放ししても補強具２０が落下するおそれはなく、取付作業もしやすい。
【００３７】
補強具２０は図１で例示したような椀形状のものでなくてもよく、図６（ａ）（ｂ）に例示したような形状であってもよい。
【００３８】
図６（ａ）の補強具２０は、椀を半分に割った形状であり、パイプ抱持バンド取付具１０の基板部１１の上半分を覆う形状となっている。保持部２２も半円形状であり、スリット２２ａが形成されており、そのスリット２２ａに取付部１２を装着できるようになっている。固定部２３も半円に対応した形状となっており、その固定部２３にはビス孔２３ａ、２３ａ、２３ａが開設されている。
【００３９】
また、図６（ｂ）の補強具２０は帯状板体を折り曲げ形成してなる。帯板の折曲突出部の頂部が、パイプ抱持バンド取付具１０の取付部１２を保持する保持部２２を構成する。保持部２２には、図１、図６（ａ）に示した補強具２０と同様に、上方より取り付けができるスリット２２ａが形成されている。
【００４０】
以上に示した３種の補強具２０には上方より取り付けできるように下側にスライド挿入口２２ｂを有したスリット２２ａが形成されているが、下方より取り付けできるような補強具であってもよい。下方から取り付けできる補強具であれば、既設のパイプ抱持バンド取付具１０の下方で楽に取付作業をすることができる。
【００４１】
また、図６（ｃ）に示した補強具２０のように、スリット２２ａに代えて、端部にスライド挿入口２２ｂを有さない装着孔２２ｄを有した補強具２０であってもよい。装着孔２２ｄに対しては、保持部２２の裏面側から取付部１２をその先端より挿入するようにして装着すればよい。
【００４２】
このような補強具２０はパイプ３５（図２参照）を新設する場合に好適に利用できる。また、スリット２２ａによる切れ目がないため、固定部２３の全範囲にビス止めでき、補強具２０をより強固に固定することができる。また、切れ目がないため補強具２０自体の強度が高い。
【符号の説明】
【００４３】
１                パイプ支持具
３                外壁（構造物）
１０              パイプ抱持バンド取付具
１１              基板部
１１ａ            突部
１１ｂ            環状部
１２              取付部
１２ａ            長孔
１３              固定部
２０              補強具
２１              椀部
２１ａ            椀開口
２２              保持部
２２ａ            スリット
２２ｂ            スライド挿入口
２２ｃ            スライド導入口
２２ｄ            装着孔
２３              固定部
２３ａ            ビス孔
２５              ビス
３０              パイプ抱持バンド
３１              取付片部
３２              バンド部
３３              ボルト
３４              ナット
３５              パイプ
【要約】
【課題】構造物に取り付けられたパイプ抱持バンド取付具の取付部の損傷を防止できるパイプ支持具および補強具を提供する。
【解決手段】パイプ支持具１は、構造物３の表面に添設される基板部１１と、パイプ固定用のパイプ抱持バンド３０を取り付ける帯板状の取付部１２とを備え、取付部１２の長手方向の一端が基板部１１に固着されたパイプ抱持バンド取付具１０を有し、パイプ抱持バンド取付具１０の取付部１２に取り付けられる補強具２０をさらに備えている。この補強具２０は、取付部１２をその厚み方向より挟むようにして保持する保持部２２と、構造物３に固定される固定部２３とを備えている。
【選択図】図１【図１】
0005877253.tif 000002
【図２】
0005877253.tif 000003
【図３】
0005877253.tif 000004
【図４】
0005877253.tif 000005
【図５】
0005877253.tif 000006
【図６】
0005877253.tif 000007
【図７】
0005877253.tif 000008